(57)【特許請求の範囲】
【請求項１】
電子機器本体と、該電子機器本体内に着脱自在に配設される付属機器とを有するものにおいて、操作部が前記電子機器本体の開口に臨んで設けられ、前記操作部が操作されることにより装着された前記付属機器を取出す取出し手段と、前記電子機器本体の開口を開閉自在とし、閉じたとき前記付属機器に係合して前記付属機器を前記電子機器本体内にロックするロック部材を有する蓋体とを具備したことを特徴とする電子機器。
【発明の詳細な説明】
【０００１】
【産業上の利用分野】
本発明は、ＣＤ−ＲＯＭドライブ、フロッピーディスクドライブ等の付属機器を着脱自在に設けたパーソナルコンピュータ等の電子機器に関する。
【０００２】
【従来の技術】
近年、パーソナルコンピュータ等にあっては、その用途に応じて種々の記憶装置が組み込まれている。例えば、汎用性等を重視するときはフロッピーディスクドライブが組み込まれ、又高記憶容量等を重視するときはＣＤ−ＲＯＭドライブが組み込まれている。
【０００３】
従って、パーソナルコンピュータ等において、記憶装置をその用途に応じて取り換えることができるようにすれば、用途が飛躍的に向上するため、この記憶装置を着脱自在とすることに対する要望が高まった。
【０００４】
【発明が解決しようとする課題】
しかし、記憶装置を着脱自在とした場合、パーソナルコンピュータ自体にこの記憶装置を取出す手段を設け、そしてこの手段の操作部をコンピュータの外側に露呈して設ける必要があり、更にコンピュータ内に記憶装置をロックする手段を設ける必要があった。
【０００５】
ところで、近年は、所謂ノートブックタイプと呼ばれる携帯型のコンピュータが注目を浴びているが、このように携帯するものにあっては、その外部に突起部等があると、持ち歩いているときに他の物に引っ掛かることがあり、上記のように記憶装置を取出す手段の操作部をコンピュータの外側に露呈して設けることには問題があった。
【０００６】
本発明の電子機器は、上記の点に鑑みなされたもので、操作部が電子機器本体の開口に臨んで設けられ、前記操作部が操作されることにより装着された付属機器を取出す取出し手段と、電子機器本体の開口を開閉自在とし、閉じたとき前記付属機器に係合して付属機器を電子機器本体内にロックするロック部材を有する蓋体とを設けたことを特徴とするものである。
【０００７】
【作用】
本発明は、上記のように構成したものであるから、蓋体を閉じることにより、取出し手段の操作部をこの蓋体により覆うことができ、又蓋体のロック部材により付属機器を電子機器本体内にロックすることができる。
【０００８】
【実施例】
本発明の実施例を図面に基づいて説明する。
【０００９】
図１はパーソナルコンピュータ（１）の斜視図を示し、このパーソナルコンピュータ（１）は、キーボード（図示せず）等を設けた本体（２）と、この本体（２）に回動自在に設けたディスプレイ部（３）及び本体（２）の前面から挿脱自在に設けたＣＤ−ＲＯＭドライバ（４）とを有している。
【００１０】
図２はＣＤ−ＲＯＭドライバ（４）の斜視図を示し、その両側部には本体（２）内への挿入を案内するガイド溝（５）（５）が設けられ、又下面には本体（２）内にロックするためのロック孔（６）（６）が設けられている。
【００１１】
而して、ＣＤ−ＲＯＭドライバ（４）にあっては、本体（２）に挿入されると、その後面に設けたコネクタ（図示せず）と本体（２）内のコネクタ（図示せず）が接続され、そして持ち運び時等において本体（２）から外れるものを防止すべく、本体（２）内にロックされる。以下、このＣＤ−ＲＯＭドライバ（４）のロック装置について説明する。
【００１２】
図３は、本体（２）内のＣＤ−ＲＯＭドライバ（４）のロック装置部分の斜視図を示し、（７）は本体（２）の内底部に摺動自在に設けた脱着レバーで、図４に示すように本体（２）に設けたガイドリブ（８）（８）に摺動リブ（９）（９）を係合させることで摺動動作を可能ならしめている。尚、このガイドリブ（８）（８）と摺動リブ（９）（９）との間には、コイルバネ（１０）（１０）が介装されており、この脱着レバー（７）を後方に付勢している。又、脱着レバー（７）の両側には、ＣＤ−ＲＯＭドライバ（４）のガイド溝（５）（５）に係合する脱着リブ（１１）（１１）が設けられている。この脱着リブ（１１）（１１）は、ガイド溝（５）（５）との組合せでＣＤ−ＲＯＭドライバ（４）の脱着を案内し、そして特にＣＤ−ＲＯＭドライバ（４）の装着位置ではガイド溝（５）（５）の端部（１２）（１２）（図２参照）に当接して装着の完了位置を定める役割を果たす。更に、脱着レバー（７）には、本体（２）の下面に形成した開口（１３）に臨むように把持部（１４）が設けられている（図５参照）。（１５）（１５）は脱着レバー（７）の上方の動きを規制する固定用金具で、本体（２）に設けたボス（１６）（１６）（図４参照）にネジ止めされている。尚、このボス（１６）（１６）には、脱着レバー（７）の後方への動きを規制する規制リブ（１７）（１７）が設けられている。（１８）は本体（２）の開口（１３）を開閉自在とする蓋体で、図１に示すように、本体（２）の切欠き部（１９）により外部から開閉できるように構成されている。詳しくは、一側を本体（２）に枢着し、図４に示すように他側に設けた凸部（２０）を本体（２）の凹部（２１）に係合可能なように構成している。ところで、この蓋体（１８）の他側には、ロック用リブ（２２）（２２）が設けられており、図５に示すように、蓋体（１８）を閉めたときには、このロック用リブ（２２）（２２）がＣＤ−ＲＯＭドライバ（４）のロック孔（６）（６）内に嵌り込むようにしている。即ち、蓋体を開いた状態でＣＤ−ＲＯＭドライバ（４）を本体（２）内に装着し、その後、蓋体（１８）を閉めて脱着レバー（７）の把持部（１４）を覆うようにすると、それと同時にＣＤ−ＲＯＭドライバ（４）を本体（２）内にロックすることができるのである。
【００１３】
而して、上記のように、本体（２）内にロックされたＣＤ−ＲＯＭドライバ（４）を本体（２）から取出すとき、図６に示すように、蓋体（１８）を開いてロックを外し、そして把持部（１４）を前方に押して脱着リブ（１１）（１１）にてガイド溝（５）（５）の端部（１２）（１２）を同方向に押すことにより行なうことができる。即ち、これにより、ＣＤ−ＲＯＭドライバ（４）の前部が本体（２）から飛び出すので、その前部をつかみ引っ張り出すことができるのである。
【００１４】
尚、脱着レバー（７）を前方に押した後、手を放すと、コイルバネ（１０）（１０）により、この脱着レバー（７）は規制リブ（１７）（１７）と当接する位置まで自動的に復帰する。
【００１５】
【発明の効果】
本発明は上記のように、蓋体を閉じることにより、取出し手段の操作部をこの蓋体により覆うことができ、又蓋体のロック部材により付属機器を電子機器本体内にロックすることができるようにしたものであるから、操作部が他の物に引っ掛かることを防止できると共に付属機器専用のロック部材を設ける必要がない。
【図面の簡単な説明】
【図１】本発明のパーソナルコンピュータの斜視図である。
【図２】本発明のＣＤ−ＲＯＭドライブの斜視図である。
【図３】本発明のロック装置部分の斜視図である。
【図４】本発明のロック装置部分で、固定用金具を取出した状態の平面図である。
【図５】本体にＣＤ−ＲＯＭドライブを装着し、蓋体を閉めた状態の本発明のパーソナルコンピュータの要部断面図である。
【図６】蓋体を開いた状態の本発明のパーソナルコンピュータの要部断面図である。
【符号の説明】
１  パーソナルコンピュータ
２  本体
４  ＣＤ−ＲＯＭドライバ
７  脱着用レバー
１１  脱着リブ
１８  蓋体
２２  ロック用リブ
【図１】
0003748915.tif 000002
【図２】
0003748915.tif 000003
【図３】
0003748915.tif 000004
【図４】
0003748915.tif 000005
【図５】
0003748915.tif 000006
【図６】
0003748915.tif 000007